(57)【要約】      （修正有）【課題】防水ブロックと止水体との組み合わせにより雨水が浸入することを防ぐ防水窓及びその防水ブロックを提供する。【解決手段】防水窓１００は、窓枠２００、第１のサッシ３００、第２のサッシ４００及び止水体５００を備える。第１のサッシ、第２のサッシ及び止水体は、窓枠２００に配設される。止水体は、第１のサッシと第２のサッシとの間に位置する。防水ブロック６００は、取付け部及び密着部を備える。取付け部は、防水ブロックの一面に位置するとともに、第１のサッシ３００に形状が対応して取り付けられる。密着部は、取付け部の相対する側に位置する。防水ブロック６００は、第１のサッシと第２のサッシとの間に配設され、防水窓が閉じられると、密着部の位置が止水体５００に対応し、密着部が止水体に当接されて密着される。【選択図】図２Ｃ
0003216287.tif 000002
【実用新案登録請求の範囲】
【請求項１】
防水窓に応用する防水ブロックであって、
前記防水窓は、窓枠、第１のサッシ、第２のサッシ及び止水体を備え、
前記第１のサッシ、前記第２のサッシ及び前記止水体は、前記窓枠に配設され、
前記止水体は、前記第１のサッシと前記第２のサッシとの間に位置し、
前記防水ブロックは、取付け部及び密着部を備え、
前記取付け部は、前記防水ブロックの一面に位置するとともに、前記第１のサッシに形状が対応して取り付けられ、
前記密着部は、前記取付け部の相対する側に位置し、
前記防水ブロックは、前記第１のサッシと前記第２のサッシとの間に配設され、前記防水窓が閉じられると、前記密着部の位置が前記止水体に対応し、前記密着部が前記止水体に当接されて密着されることを特徴とする防水ブロック。
【請求項２】
前記第１のサッシは、帯封を有し、
前記防水ブロックは、結合部をさらに備え、
前記結合部は、前記取付け部の一側に位置し、前記結合部の位置は、前記帯封に対応し、前記帯封は、前記第１のサッシに沿って延びて前記結合部に当接されることを特徴とする請求項１に記載の防水ブロック。
【請求項３】
前記取付け部の一側に位置するとともに、前記第１のサッシに対応して取付けられる位置決め部をさらに備えることを特徴とする請求項１に記載の防水ブロック。
【請求項４】
前記防水ブロックは弾性材料からなることを特徴とする請求項１に記載の防水ブロック。
【請求項５】
前記第１のサッシを挿着する前記取付け部が凹設されていることを特徴とする請求項１に記載の防水ブロック。
【請求項６】
窓枠と、前記窓枠に移動可能に設けられた第１のサッシと、前記窓枠に移動可能に設けられた第２のサッシと、前記窓枠に設けられるとともに、前記第１のサッシと前記第２のサッシとに間に位置する止水体と、前記第１のサッシに取り付けられるとともに、取付け部及び密着部を有する防水ブロックと、を備え、
前記取付け部は、前記防水ブロックの一面に位置するとともに、前記第１のサッシに対応して取付けられる形状を有し、
前記密着部は、前記取付け部の相対する側に位置し、
前記防水ブロックは、前記第１のサッシと前記第２のサッシとの間に配設され、防水窓を閉じると、前記密着部の位置が前記止水体に対応し、前記密着部が前記止水体に当接されて密着されることを特徴とする防水窓。
【請求項７】
前記第１のサッシは、帯封を有し、
前記防水ブロックは、前記取付け部の一側に位置する結合部を有し、
前記結合部の位置は、前記帯封に対応し、前記帯封は、前記第１のサッシに沿って延びて前記結合部に当接されることを特徴とする請求項６に記載の防水窓。
【請求項８】
前記取付け部の一側に位置するとともに、前記第１のサッシに対応して取付けられる位置決め部をさらに備えることを特徴とする請求項６に記載の防水窓。
【請求項９】
前記止水体又は前記防水ブロックは弾性材料からなることを特徴とする請求項６に記載の防水窓。
【請求項１０】
前記第１のサッシを挿着する前記取付け部が凹設されていることを特徴とする請求項６に記載の防水窓。
【考案の詳細な説明】
【技術分野】
【０００１】
本考案は、防水窓及びその防水ブロックに関し、特に、密接されたサッシ間の隙間から水液が浸入することを防ぐ防水窓及びその防水ブロックに関する。
【背景技術】
【０００２】
従来の窓の外側窓枠には、排水孔が形成され、窓の外側の雨水が窓枠底部に流れ落ちると、排水孔を介して窓枠内の水が排出される。しかし、台風など特別な状況の場合、大雨などにより排水が間に合わなかったり、葉っぱなどにより孔が塞がれて排水機能が失われたりして雨水が窓枠底部に溜まって溢れ出し、底部の隙間から室内側へ徐々に流れ込むことがあった。
【０００３】
上述したような問題点を改善するために、窓の一部には、窓枠底部の隣り合うサッシ間に止水体が設けられて雨水が浸入することを一定のレベルで防ぐことができたが、窓の外側の雨水を十分に排水することができない上、雨水が窓の内側に徐々に流れ込むことを防ぐこともできなかった。
【０００４】
図１Ａ〜図１Ｄを参照する。図１Ａ〜図１Ｄは、従来の防水窓を示す斜視図である。図１Ａ及び図１Ｂに示すように、止水体５００は、窓枠などの窓枠レール上に固着され、２つのサッシ間に位置する。止水体５００の頂部には、多層の格子部５１０が設けられ、上述した「一定のレベル」とは、格子部５１０の高さを指す。即ち、格子部５１０の高さ以下の雨水が浸入することを防ぐことができる。図１Ｂの理想的な状態下では、格子部５１０は、止水体５００の最外側により雨水を防いでいたため、止水体５００の高さまで防水効果があった。しかし、悪天候の場合、強烈な雨に伴う横向きの強風などにより、雨水が格子部５１０を超えて図１Ｃ及び図１Ｄに示す経路で室内側へ徐々に流れ込むことがあった。
【０００５】
従来から、一部のメーカは上述した格子部５１０を高くして高い防水効果を得ていたが、このような方式では、窓枠及びサッシの構造も一緒に変更する必要があり、手間がかかる上にコストが増えてしまうという欠点があった。また、格子部５１０が長すぎる場合、窓を何度も開閉すると半永久的に変形したり断裂したりし、雨水を遮る効果が早く失われてしまうという欠点もあった。
【考案の概要】
【考案が解決しようとする課題】
【０００６】
本考案の目的は、防水ブロックと止水体との組み合わせにより雨水が浸入することを防ぎ、従来の防水窓が外部の雨水を遮る際の問題点を改善する防水窓及びその防水ブロックを提供することにある。
【課題を解決するための手段】
【０００７】
上記課題を解決するために、本考案の第１の形態によれば、防水窓に応用する防水ブロックであって、前記防水窓は、窓枠、第１のサッシ、第２のサッシ及び止水体を備え、前記第１のサッシ、前記第２のサッシ及び前記止水体は、前記窓枠に配設され、前記止水体は、前記第１のサッシと前記第２のサッシとの間に位置し、前記防水ブロックは、取付け部及び密着部を備え、前記取付け部は、前記防水ブロックの一面に位置するとともに、前記第１のサッシに形状が対応して取り付けられ、前記密着部は、前記取付け部の相対する側に位置し、前記防水ブロックは、前記第１のサッシと前記第２のサッシとの間に配設され、前記防水窓が閉じられると、前記密着部の位置が前記止水体に対応し、前記密着部が前記止水体に当接されて密着されることを特徴とする防水ブロックが提供される。
【０００８】
前記第１のサッシは、帯封を有し、前記防水ブロックは、結合部をさらに備え、前記結合部は、前記取付け部の一側に位置し、前記結合部の位置は、前記帯封に対応し、前記帯封は、前記第１のサッシに沿って延びて前記結合部に当接されることが好ましい。
【０００９】
前記取付け部の一側に位置するとともに、前記第１のサッシに対応して取付けられる位置決め部をさらに備えることが好ましい。
【００１０】
前記防水ブロックは弾性材料からなることが好ましい。
【００１１】
前記第１のサッシを挿着する前記取付け部が凹設されていることが好ましい。
【００１２】
上記課題を解決するために、本考案の第２の形態によれば、窓枠と、前記窓枠に移動可能に設けられた第１のサッシと、前記窓枠に移動可能に設けられた第２のサッシと、前記窓枠に設けられるとともに、前記第１のサッシと前記第２のサッシとに間に位置する止水体と、前記第１のサッシに取り付けられるとともに、取付け部及び密着部を有する防水ブロックと、を備え、前記取付け部は、前記防水ブロックの一面に位置するとともに、前記第１のサッシに対応して取付けられる形状を有し、前記密着部は、前記取付け部の相対する側に位置し、前記防水ブロックは、前記第１のサッシと前記第２のサッシとの間に配設され、防水窓を閉じると、前記密着部の位置が前記止水体に対応し、前記密着部が前記止水体に当接されて密着されることを特徴とする防水窓が提供される。
【００１３】
前記第１のサッシは、帯封を有し、前記防水ブロックは、前記取付け部の一側に位置する結合部を有し、前記結合部の位置は、前記帯封に対応し、前記帯封は、前記第１のサッシに沿って延びて前記結合部に当接されることが好ましい。
【００１４】
前記取付け部の一側に位置するとともに、前記第１のサッシに対応して取付けられる位置決め部をさらに備えることが好ましい。
【００１５】
前記止水体又は前記防水ブロックは弾性材料からなることが好ましい。
【００１６】
前記第１のサッシを挿着する前記取付け部が凹設されていることが好ましい。
【考案の効果】
【００１７】
本考案の防水窓及びその防水ブロックは、防水ブロックと止水体との組み合わせにより雨水が浸入することを防ぎ、従来の防水窓が外部の雨水を遮る際の問題点を改善する。
【図面の簡単な説明】
【００１８】
【図１Ａ】図１Ａは、従来の防水窓の止水体を示す斜視図である。
【図１Ｂ】図１Ｂは、図１Ａの従来の防水窓が雨水を遮る状態の説明図である。
【図１Ｃ】図１Ｃは、図１Ａの従来の防水窓の雨水が徐々に流れ出る状態の説明図である。
【図１Ｄ】図１Ｄは、図１Ａの従来の防水窓の雨水が徐々に流れ出る状態の説明図である。
【図２Ａ】図２Ａは、本考案の一実施形態に係る防水窓を示す分解斜視図である。
【図２Ｂ】図２Ｂは、図２Ａの防水ブロックと止水体とが当接された状態の説明図である。
【図２Ｃ】図２Ｃは、図２Ａの防水ブロックと、対応した防水窓とが組み合わされた状態の説明図である。
【図３Ａ】図３Ａは、図２Ａの防水ブロックを示す頂面図である。
【図３Ｂ】図３Ｂは、図２Ａの防水ブロックが対応する第１のサッシを示す頂面図である。
【図４Ａ】図４Ａは、図２Ａの防水ブロックと第１のサッシの帯封との位置が対応した状態の説明図である。
【図４Ｂ】図４Ｂは、図４Ａの防水ブロックと第１のサッシの帯封との組み合わせを示す斜視図である。
【考案を実施するための形態】
【００１９】
以下、本考案の目的、特徴及び効果をより分かりやすくするために、具体的な実施形態について図に基づいて詳しく説明する。
【００２０】
図２Ａを参照する。図２Ａに示すように、本考案の一実施形態に係る防水窓１００は、少なくとも窓枠２００、第１のサッシ３００、第２のサッシ４００、止水体５００及び防水ブロック６００から構成されてなる。第１のサッシ３００及び第２のサッシ４００は、窓枠２００に移動可能に配設される。止水体５００は、第１のサッシ３００と第２のサッシ４００との間に位置する。止水体５００は、窓枠２００に固定設置される。止水体５００と窓枠２００とは、これらだけに限定されるわけではないが、接着、螺着、一体成形などの結合方式で結合されてもよい。
【００２１】
図２Ｂ及び図２Ｃを参照する。図２Ｂ及び図２Ｃに示すように、防水ブロック６００は、第１のサッシ３００に設けられる。防水ブロック６００と止水体５００との相対位置とが分かりやすいように、図２Ｂには、第１のサッシ３００は表示されていない。防水ブロック６００は、取付け部６１０、密着部６２０、位置決め部６３０及び結合部６４０を含む。図３Ａ及び図３Ｂを参照する。図３Ａ及び図３Ｂに示すように、取付け部６１０は、防水ブロック６００の上面に位置するとともに、取付け部６１０の形状が第１のサッシ３００の断面形状に対応するため、第１のサッシ３００に取付けることができる。密着部６２０は、取付け部６１０の相対する側に位置し、図２Ｂに示すように、防水ブロック６００の寸法又は取付け位置を自由に決めることができるため、防水ブロック６００と第１のサッシ３００とを組み合わせると、密着部６２０の底面が止水体５００の頂部の格子部５１０と等しい高さになる。このように防水窓１００が図２Ｃに示すように閉じた状態にあるとき、密着部６２０の位置が止水体５００に対応するとともに、止水体５００に当接されて密着される。図２Ｂに示す実施形態では、止水体５００又は防水ブロック６００は弾性材料からなり、この状況下では、止水体５００の格子部５１０が密着部６２０の底面より僅かに高くなり、止水体５００と防水ブロック６００とが当接されたときに押し付けられ、高い密着効果が得られる。
【００２２】
また、図３Ａ及び図３Ｂに示すように、防水ブロック６００の取付け部６１０の形状は、第１のサッシ３００の断面形状に対応する。第１のサッシ３００の断面は、従来のプラスチック材料、金属などの成形技術により自由に変えることができる。つまり、本実施形態では第１のサッシ３００が外側に位置し、第２のサッシ４００が内側に位置し、外サッシに防水ブロック６００を取り付けることを例として説明しているが、外サッシに防水ブロック６００を必ずしも取り付ける必要はなく、防水ブロック６００をサッシにより止水体５００に当接させてもよい。
【００２３】
また、上述した止水体５００の頂部の格子部５１０のみを密着部６２０に当接させる方式は一態様であり、止水体５００を密着部６２０に当接させる方式のみに本考案を限定するわけではない。例えば、止水体５００は、単に頂部が平坦なブロックでもよく、同様に密着部６２０と組み合わせて高い密着効果を得てもよい。
【００２４】
位置決め部６３０は、取付け部６１０の一側に位置する。位置決め部６３０は、第１のサッシ３００に形状が対応して取り付けられる。防水窓１００を閉じると、止水体５００は、防水ブロック６００の密着部６２０の表面に対して剪断摩擦力を発生させ、位置決め部６３０が設けられているため防水ブロック６００と第１のサッシ３００との組み合わせが強固となり、傾いたり捩じれたりして損壊することを防ぐことができる。本実施形態の取付け部６１０及び位置決め部６３０には、第１のサッシ３００を挿設する防水ブロック６００が凹設されている。凹設方式は、スピーディーかつ容易に実施可能な組立方式であるが、取付け部６１０と位置決め部６３０との組み合わせはこの方式のみに限定されるわけではない。
【００２５】
また、図３Ａ、図３Ｂ、図４Ａ及び図４Ｂを参照する。図３Ａ、図３Ｂ、図４Ａ及び図４Ｂに示すように、第１のサッシ３００には、帯封３１０が取り付けられ、防水ブロック６００の結合部６４０が当接される。詳細に述べると、第１のサッシ３００には、前述した位置決め部６３０が挿着され、高さ方向で延びて取付け溝３０１が形成されるとともに、帯封３１０の一部がその中に取り付けられる。防水ブロック６００は、帯封３１０を延ばし入れる取付け溝３０１に結合部６４０を有する。第１のサッシ３００の底部には、帯封３１０が当接されて密着される。図４Ｂに示すように、帯封３１０は、ゴムなどの可撓性材料からなってもよく、帯封３１０を底部まで延ばすと、結合部６４０の形状に応じて曲がり、それ自体が有する弾性により結合部６４０の表面に密着され、高い水密効果が得られる。
【００２６】
また、本考案の他の実施形態は、単独で防水ブロック６００の形式で従来の防水窓１００に応用することもできる。上述した実施方式から分かるように、防水ブロック６００は、任意の形式で第１のサッシ３００と組み合わせることができ、密着部６２０を特定の形状にする必要はなく、従来の防水窓１００の止水体５００を覆うだけで防水効果が得られる。
【００２７】
上述したことから分かるように、本考案の防水窓及びその防水ブロックは、従来の防水窓では室内側へ雨水が浸入し易いという問題点を改善することができるとともに、防水ブロックを特定の材料で製作する必要もなく、様々な形状の防水窓と組み合わせて使用することができるため、応用範囲が広く、防水ブロックの製作及び取付けが容易であり、窓の外側が雨に濡れたり日に晒されたりするような環境にも適合し、生産及び交換にかかるコストを減らすことができる。
【００２８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２９】
１００  防水窓
２００  窓枠
３００  第１のサッシ
３０１  取付け溝
３１０  帯封
４００  第２のサッシ
５００  止水体
５１０  格子部
６００  防水ブロック
６１０  取付け部
６２０  密着部
６３０  位置決め部
６４０  結合部
【図１Ａ】
0003216287.tif 000003
【図１Ｂ】
0003216287.tif 000004
【図１Ｃ】
0003216287.tif 000005
【図１Ｄ】
0003216287.tif 000006
【図２Ａ】
0003216287.tif 000007
【図２Ｂ】
0003216287.tif 000008
【図２Ｃ】
0003216287.tif 000009
【図３Ａ】
0003216287.tif 000010
【図３Ｂ】
0003216287.tif 000011
【図４Ａ】
0003216287.tif 000012
【図４Ｂ】
0003216287.tif 000013